(57)【要約】【課題】  印刷体裁が設定された文書ファイルからＰＤＦ等の共通フォーマットでファイル変換しエクスポート出力する場合において、エクスポートした文書ファイルを任意にプリンタで印刷する場合も印刷体裁がまもられる仕組みを提供する。【解決手段】  文書データを印刷か別フォーマットのファイルのエクスポート出力かの処理の違いを判定し、ファイルのエクスポート出力時時にはプリンタの能力を実際のエクスポートドライバ能力よりも高度な状態に変換することで、印刷体裁を電子データファイルに反映して出力させる。【選択図】  図１９
2006202025.tif 000002
【特許請求の範囲】
【請求項１】
文書を編集操作に応じて編集可能で且つ印刷体裁を設定する文書処理方法であって、文書データを印刷か別フォーマットのファイルのエクスポート出力かの処理の違いを判定する手段と、ファイルのエクスポート出力時時にはプリンタの能力を実際のエクスポートドライバ能力よりも高度な状態に変換するドライバ能力変換手段と印刷設定による表示結果を電子データファイルに反映して出力させる変換手段とを備えることを特徴とする文書処理装置及びその制御方法。
【請求項２】
請求項１の制御方法は操作によって原稿データでのファイル出力、及び面つけ制御方法を選択することができることを特徴とする。
【請求項３】
出力する電子データファイルだけでなく、文書処理装置で設定を行った印刷設定情報（出力ドライバ情報、レイアウト設定、両面／製本設定等）を付加またはファイルとして出力させる手段と出力した電子データファイルと印刷設定情報を再度インポートした場合に、ファイル出力する前を再現できる機能を有することを特徴とする請求項１の文書処理装置。
【発明の詳細な説明】
【技術分野】
【０００１】
本発明は、電子ファイルデータのエクスポート出力に関し、特にパーソナルコンピュータ等の情報処理とプリンタとを有するシステムにおける文書処理方法及び文書処理装置に関するものである。
【背景技術】
【０００２】
文字や表、画像など、データの種類が異なると、データを定義する構造やそれらデータに対する編集操作が異なるために、データの種類に応じた様々なアプリケーションプログラムが提供されている。利用者は、文字を編集するためには文字処理プログラム、表を編集するためには表計算プログラム、画像を編集するためには画像編集プログラムといった具合に、データの種類別にアプリケーションを使い分けている。
【０００３】
このように、利用者はデータの種類ごとにアプリケーションプログラムを使い分けるのが一般的である。しかし、利用者が作成しようとする文書としては、例えば文字のみや、表のみ、画像のみといった１種類のデータのみから構成される文書よりも、文字と表、文字と画像など、複数種類のデータから構成される文書の方が一般的である。そこで複数種類のデータを含む目的文書を作成するために、利用者は各種アプリケーションが備えている印刷機能を利用してアプリケーションごとにデータを印刷させ、印刷物を所望の順序に組み合わせる必要があった。
【０００４】
あるいは、いわゆるオフィススイートと呼ばれる、各種アプリケーションによってひとつの統合アプリケーションを形成するプログラムには、各アプリケーションで生成されたデータを組み合わせ、ひとつの文書を構成する機能を提供するものもある。この統合アプリケーションを使用する場合には、利用者は、各アプリケーションで作成したデータを、統合アプリケーションに含まれる特定のアプリケーションによってひとつの目的文書にまとめることができる。
【０００５】
また、データをページ単位で保持し、各種設定値にしたがって、用紙上にレイアウトして印刷するような文書処理システムがある。このようなシステムでは、データを階層構造で保持していても、設定値は文書全体でしか保持しておらず、部分的な設定をすることはできなかった。例えば、アプリケーションプログラム等で作成された文書について、１枚のシートの片面上にＮページ（Ｎとしては例えば２，４，９，１６ページがある。）を配置するレイアウト設定（Ｎページ印刷あるいはＮイン１印刷と呼ぶ。）が可能な印刷システムがあった。Ｎページ印刷を例に説明すると、文書全体について２ページ印刷の設定はできるが、２ページ印刷が指定された文書の一部分を４ページ印刷に変更することはできなかった。すなわち、ひとつの設定項目について、文書の一部分について文書全体と異なる設定値を設定することができなかった。また、文書の部分毎にレイアウト等の設定ができるようなシステムでは、各部分だけで属性（レイアウト設定等の設定値）を保持しているために、全体を統一して一斉に変更することができなかった。
【０００６】
そこで、文書データを、たとえばページ、ページのまとまり、文書全体といった単位で階層的に保持するとともに、各種設定項目の値も文書データの各階層ごとに保持することで、文書全体に統一的な設定をすることも、その一部について部分的な設定をすることも可能であるような文書処理システムが登場した（特許文献１等参照）。
【０００７】
このようなシステムでは、編集操作として、各設定項目の設定値の変更だけでなく、ページ単位やページをまとめた単位など任意の単位を文書内で、あるいは文書外に移動したりコピーペーストしたりする事が可能である。
【０００８】
また、プリンタに印刷を行う際には、アプリケーションやプリンタドライバの機能を用いて、様々な印刷体裁設定を行うことが可能である。印刷体裁設定は、プリンタの機能によって、設定可能な設定項目と設定不可能な設定項目がある。従って、すべてのプリンタで同じ印刷体裁設定画面を用いて、ユーザに設定値を入力させると、設定不可能な設定を行われてしまい、設定値にコンフリクトが生じることがある。また、ある２つの設定項目に何かしらの関係が存在し、１つの設定項目がある値の時には、もう１つの設定項目の設定値はある値を設定することができないなどの関係がある場合がある。従って、この場合にもすべての設定値を表示する印刷体裁設定画面を用いると、コンフリクトが生じることがある。
【０００９】
そこで、コンフリクトが生じる設定を行わせないように制御するために、コンフリクトが生じる設定値を表示しない手法が用いられている。これは、コンフリクトがプリンタの機能によって生じる場合には、プリンタの機能情報を予め取得し、機能に基づいた印刷体裁設定画面を表示することで行う。また、コンフリクトが設定値によって生じる場合には、設定値が設定された時に、設定された設定値と他の設定を用いてコンフリクトが生じない印刷体裁画面を表示する手法が用いられている。
【００１０】
以上の手法は、通常のデスクトップアプリケーションで行われている。
【特許文献１】特開２００３−１６２４０４号公報
【発明の開示】
【発明が解決しようとする課題】
【００１１】
上記のような手法を使用することで、印刷体裁設定画面でのコンフリクト制御を行うことができる。実際には、印刷体裁設定画面で、プリンタの機能や他の設定値などの必要な情報を利用することで、設定可能な設定項目だけ表示する設定画面を作成し、コンフリクト制御を行う。しかしこの制御ではドライバの能力範囲での出力結果しか得られない。例えば印刷体裁設定を施したアプリケーションデータファイルを用紙への印刷出力ではなく、ドライバを利用してＰＤＦなどの共通フォーマットのデータファイルとしてエクスポートする場合には、従来ではドライバのコンフリクト処理が動作してしまうため、製本体裁が施された状態ではなく、原稿ページがファイル変換され、出力されていた。あるいは、印刷レイアウトは反映されるがシフト幅やページ順など製本体裁が施された印刷出力物と同一の表示形態でファイル出力に反映される形態ではなかった。例えば、両面印刷時にステイプル設定を行った際にとじ代幅の反映ができなかった。
【００１２】
このことは、文書出力に際して生産性を低下させるとともに、文書の操作性や内容の視認性を低下させることになっていた。
【００１３】
本発明は、上述の課題に鑑みてなされたものであり、その目的とするところは、印刷、製本設定された文書ファイルからＰＤＦ等の共通フォーマットでファイル変換しエクスポート出力する場合において、製本設定による表示をエクスポートする電子データファイルに反映することを目的とする。ここでいう製本設定とは、アプリケーションが設定可能な全てのレイアウト機能を指すので、用紙上に複数のページを配置するＮページ設定や、印刷後に断裁を想定して用紙上に同一ページを複数配置する多連印刷設定も勿論含まれる。
【００１４】
また、ファイルへのエクスポートを行う場合に、印刷体裁を反映させず、文書の原稿ページをそのままファイルに出力させるモードと全ての印刷設定における表示をエクスポートするファイルに反映させる印刷向けモードを提供し、ユーザが選択することができる機能を提供することを目的とする。
【００１５】
また、本発明では、多連印刷における印刷情報の制御において、エクスポートするだけでなく文書処理装置で設定した印刷設定（ドライバの種類、両面、綴じ代、ステイプル等）をパラメータファイルとして出力する機能を有し、ドライバより出力したパラメータファイルを読込むことによってエクスポートしたファイルを印刷出力する際に、印刷設定を反映させることを目的とする。
【課題を解決するための手段】
【００１６】
上記目的を達成するために本発明の文書処理装置は以下の構成を備える。
【００１７】
即ち文書を編集操作に応じて編集可能で且つ印刷体裁を設定する文書処理方法であって、文書データを印刷か別フォーマットのファイルのエクスポート出力かの処理の違いを判定する手段と、ファイルのエクスポート出力時時にはプリンタの能力を実際のエクスポートドライバ能力よりも高度な状態に変換するドライバ能力変換手段と印刷設定による表示結果を電子データファイルに反映して出力させる変換手段とを備えることを特徴とする。
【００１８】
また、上記制御方法は操作によって原稿データでのファイル出力、及び面つけ制御方法を選択することができることを特徴とする。
【００１９】
また出力する電子データファイルだけでなく、文書処理装置で設定を行った印刷設定情報（出力ドライバ情報、レイアウト設定、両面／製本仕上げ設定等）を付加またはファイルとして出力させる手段と出力した電子データファイルと印刷設定情報を再度インポートした場合に、ファイル出力する前を再現できる機能を有することを特徴とする。
【発明の効果】
【００２０】
本発明によれば、アプリケーションで文書データを編集し、製本、多連等の印刷体裁設定を施したデータファイルを、共通フォーマットでエクスポートによるファイル交換をして、別のアプリケーションやシステムで印刷してもレイアウトや各種編集結果を反映することができるようになる。
【発明を実施するための最良の形態】
【００２１】
以下、図面を参照しながら本発明に係る実施の形態を詳細に説明する。
【００２２】
＜システム概要＞
まず、本発明に係る文書処理システムの概要について、図１乃至図１２を参照して以下に説明する。尚、この文書処理システムは、一般のアプリケーションによって作成されたデータファイルを電子原稿ファイルに変換する電子原稿ライタと、その電子原稿ファイルを編集する機能を提供する製本アプリケーションとを含み、作成されたデータを一まとめにした文書の作成及び編集を可能とし、その操作性を向上させて文書編集を効率的に行えるものである。
【００２３】
＜システム構成及び動作＞
図１は、本実施形態の文書処理システムのソフトウェア構成を示す図である。文書処理システムは、本発明の情報処理装置に好適な実施形態であるデジタルコンピュータ１０１（以下、ホストコンピュータとも呼ぶ）によって実現されている。図１に示す一般アプリケーション１０１は、ワードプロセシングやスプレッドシート、フォトレタッチ、ドロー、あるいはペイント、プレゼンテーション、テキスト編集などの機能を提供するアプリケーションプログラムであり、ＯＳに対する印刷機能を有している。これらのアプリケーションは、作成された文書データや画像データなどのアプリケーションデータを印刷する際に、オペレーティングシステム（ＯＳ）によって提供される所定のインタフェース（一般に、ＧＤＩと呼ばれる）を利用する。即ち、アプリケーション１０１は、作成したデータを印刷するために、上述のインタフェースを提供するＯＳの出力モジュールに対して、あらかじめ定められる、ＯＳに依存する形式の出力コマンド（ＧＤＩ関数と呼ばれる）を送信する。一方、出力コマンドを受けた出力モジュールは、その出力コマンドをプリンタ等の出力デバイスが処理可能な形式に変換して、変換されたコマンド（ＤＤＩ関数と呼ばれる）を出力する。出力デバイスが処理可能な形式はデバイスの種類やメーカ、機種などによって異なるため、デバイスごとにデバイスドライバが提供されており、ＯＳではそのデバイスドライバを利用してコマンドの変換を行い、印刷データを生成し、ＪＬ（Ｊｏｂ  Ｌａｎｇｕａｇｅ）でくくることにより印刷ジョブが生成される。ＯＳとしてマイクロソフト社のウインドウズを利用する場合には、前述した出力モジュールとしてはＧＤＩ（Ｇｒａｐｈｉｃ  Ｄｅｖｉｃｅ  Ｉｎｔｅｒｆａｃｅ）と呼ばれるモジュールが相当する。
【００２４】
電子原稿ライタ１０２は、上述のデバイスドライバを改良したものであり、本文書処理システム実現のために提供されるソフトウェアモジュールである。但し、電子原稿ライタ１０２は特定の出力デバイスを目的としておらず、詳細は後述する製本アプリケーション１０４やプリンタドライバ１０６により処理可能な形式に出力コマンドを変換する。この電子原稿ライタ１０２による変換後の形式（以後電子原稿形式と呼ぶ）は、ページ単位の原稿を詳細な書式をもって表現可能であれば特に問わない。実質的な標準形式のうち、例えばアドビシステムズによるＰＤＦ形式やＳＶＧ形式などが電子原稿形式として採用できる。
【００２５】
一般アプリケーション１０１から電子原稿ライタ１０２を利用させる場合には、出力に使用するデバイスドライバとして電子原稿ライタ１０２を指定してから印刷を実行させる。但し、電子原稿ライタ１０２によって作成されたままの電子原稿ファイルは、電子原稿ファイルとして完全な形式を備えていない。そのため、デバイスドライバとして電子原稿ライタ１０２を指定するのは製本アプリケーション１０４であり、その管理下でアプリケーションデータの電子原稿ファイルへの変換が実行される。そして、製本アプリケーション１０４は電子原稿ライタ１０２が生成した新規の不完全な電子原稿ファイルを後述する形式を備えた電子原稿ファイルとして完成させる。以下、この点を明瞭に識別する必要がある場合、電子原稿ライタ１０２によって作成されたファイルを「電子原稿ファイル」と呼び、製本アプリケーション１０４によって構造を与えられた電子原稿ファイルを「ブックファイル」と呼ぶ。また、特に区別する必要がない場合は、アプリケーションにより生成されるドキュメントファイル、電子原稿ファイル、及びブックファイルをいずれも文書ファイル（または文書データ）と呼ぶ。
【００２６】
このようにデバイスドライバとして電子原稿ライタ１０２を指定し、一般アプリケーション１０１によりデータを印刷させることで、アプリケーションデータはアプリケーション１０１によって定義されたページ（以後論理ページあるいは原稿ページと呼ぶ）を単位とする電子原稿形式に変換され、電子原稿ファイル１０３としてハードディスクなどの記憶媒体に格納される。尚、ハードディスクは、本実施形態の文書処理システムを実現するコンピュータが備えているローカルドライブであっても良く、ネットワークに接続されている場合にはネットワーク上に提供されるドライブであっても良い。
【００２７】
製本アプリケーション１０４は電子原稿ファイル（あるいはブックファイル）１０３を読み込み、それを編集するための機能を利用者に提供する。但し、製本アプリケーション１０４は、各ページの内容を編集する機能は提供しておらず、ページを最小単位として構成される、後述する章やブックの構造を編集するための機能を提供している。
【００２８】
製本アプリケーション１０４によって編集されたブックファイル１０３を印刷する際には、製本アプリケーション１０４によって電子原稿デスプーラ１０５が起動される。電子原稿デスプーラ１０５は、製本アプリケーションと共にコンピュータ内にインストールされるプログラムモジュールであり、製本アプリケーションで利用するドキュメント（ブックファイル）を印刷する際に、プリンタドライバへ描画データを出力するために使用されるモジュールである。電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する。その際に、出力デバイスとして使用されるプリンタ１０７用のプリンタドライバ１０６がデバイスドライバとして指定される。上述の出力モジュールは、受信した出力コマンドをデバイスコマンドに変換して指定されたプリンタ１０７用のプリンタドライバ１０６に出力し、そのプリンタドライバ１０６がプリンタ１０７で解釈実行可能なページ記述言語等のコマンドに変換する。そして、変換されたコマンドはプリンタドライバ１０６から不図示のシステムスプーラを介してプリンタ１０７に送信され、プリンタ１０７によってコマンドに応じた画像が印刷される。
【００２９】
図２は、コンピュータ１００のハードウェアブロック図である。図２において、ＣＰＵ２０１は、ＲＯＭ２０３のプログラム用ＲＯＭに記憶された、あるいはハードディスク２１１からＲＡＭ２０２にロードされたＯＳや一般アプリケーション、製本アプリケーションなどのプログラムを実行し、図１のソフトウェア構成や、後述するフローチャートの手順を実現する。ＲＡＭ２０２は、ＣＰＵ２０１の主メモリ、ワークエリア等として機能する。キーボードコントローラ（ＫＢＣ）２０５は、キーボード２０９や不図示のポインティングデバイスからのキー入力を制御する。ＣＲＴコントローラ（ＣＲＴＣ）２０６は、ＣＲＴディスプレイ２１０の表示を制御する。ディスクコントローラ（ＤＫＣ）２０７は、ブートプログラム、種々のアプリケーション、フォントデータ、ユーザファイル、後述する編集ファイル等を記憶するハードディスク（ＨＤ）２１１やフロッピー（登録商標）ディスク（ＦＤ）等とのアクセスを制御する。ＰＲＴＣ２０８は、接続されたプリンタ１０７との間の信号の交換を制御する。ＮＣ２１２はネットワークに接続されて、ネットワークに接続された他の機器との通信制御処理を実行する。
【００３０】
＜電子原稿データの形式＞
編集アプリケーション１０４の詳細を言及する前に、ブックファイルのデータ形式について説明する。ブックファイルは紙媒体の書物を模倣した３層の層構造を有する。まず、上位層は「ブック」と呼ばれ、１冊の本を模倣しており、その本全般に係る属性が定義されている。その下の中間層は、本でいう章に相当し、やはり「章」と呼ばれる。各章についても、章毎の属性が定義できる。そして、下位層は「ページ」であり、アプリケーションプログラムで定義された各ページに相当する。尚、各ページについてもページ毎の属性が定義できる。更に、一つのブックは複数の章を含んでいてよく、また一つの章は複数のページを含むこともできる。
【００３１】
図３に示す（Ａ）は、ブックファイルの形式の一例を模式的に示す図である。図示するように、この例では、ブックファイルにおけるブック，章，ページは、それぞれに相当するノードにより示されている。一つのブックファイルは一つのブックを含む。ブック，章は、ブックとしての構造を定義するための概念であるから、定義された属性値と下位層へのリンクとをその実体として含む。ページは、アプリケーションプログラムによって出力されたページ毎のデータを実体として有する。そのため、ページは、その属性値のほかに、原稿ページの実体（原稿ページデータ）と各原稿ページデータへのリンクを含む。
【００３２】
尚、紙媒体等に出力する際の印刷ページは複数の原稿ページを含む場合がある。この構造に関してはリンクによって表示されず、ブック、章、ページ各階層における属性として表示される。
【００３３】
図３において、ブック３０１には、ブック属性が定義されていると共に、２つの章３０２Ａ，３０２Ｂがリンクされている。このリンクにより、章３０２Ａ，３０２Ｂがブック３０１に包含されていることが表示される。章３０２Ａには、ページ３０３Ａ，３０３Ｂがリンクされ、これらページが含まれることが示されている。各ページ３０３Ａ，３０３Ｂにはそれぞれ属性値が定義され、その実体である原稿ページデータ（１）、（２）へのリンクが含まれる。これらリンクは、図３に示す（Ｂ）のように原稿ページデータ３０４のデータ（１）、（２）を指し示し、ページ３０３Ａ、３０３Ｂの実体が原稿ページデータ（１）、（２）であることを表示している。
【００３４】
図４は、ブック属性のリストである。下位層と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。尚、図示された各項目は具体的に１項目に対応するのではなく、関連する複数の項目を含むものもある。
【００３５】
図５は章属性の、図６はページ属性のリストである。章属性とページ属性との関係もブック属性と下位層の属性との関係と同様である。
【００３６】
図４〜図６から明らかなように、ブック属性に固有の項目は、印刷方法、製本詳細、表紙／裏表紙、インデックス紙、合紙、章区切りの６項目である。これらはブックを通して定義される項目である。印刷方法の属性としては、片面印刷、両面印刷、製本印刷の３つの値を指定できる。ここで、製本印刷とは、別途指定する枚数の用紙を束にして２つ折りにし、その束をつづり合わせることで製本が可能となる形式で印刷する方法である。製本詳細属性としては、製本印刷が指定されている場合に、見開き方向や、束になる枚数等が指定できる。
【００３７】
表紙／裏表紙属性は、ブックとしてまとめられる電子原稿ファイルを印刷する際に、表紙及び裏表紙となる用紙を付加することの指定、及び付加した用紙への印刷内容の指定を含む。インデックス紙属性は、章の区切りとして、印刷装置に別途用意される耳付きのインデックス紙の挿入指定及びインデックス（耳）部分への印刷内容の指定を含む。この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００３８】
合紙属性は、章の区切りとして、インサータから、あるいは給紙カセットから供給される用紙の挿入の指定、及び合紙を挿入する場合には、給紙元の指定などを含む。
【００３９】
章区切り属性は、章の区切り目において、新たな用紙を使用するか、新たな印刷ページを使用するか、特に何もしないか等の指定を含む。片面印刷時には、新たな用紙の使用と新たな印刷ページの使用とは同じ意味を持つ。両面印刷時には、「新たな用紙の使用」を指定すれば連続する章が１枚の用紙に印刷されることは無いが、「新たな印刷ページの使用」を指定すれば、連続する章が１枚の用紙の表裏に印刷されることがあり得る。
【００４０】
章属性に関しては、章に固有の項目はなく、全てブック属性と重複する。従って、章属性における定義とブック属性における定義とが異なれば、章属性で定義された値が優先する。ブック属性と章属性とにのみ共通する項目は、用紙サイズ、用紙方向、Ｎ−ｕｐ印刷指定、拡大縮小、排紙方法の５項目である。これらのうち、Ｎ−ｕｐ印刷指定属性は１印刷ページに含まれる原稿ページ数を指定するための項目である。指定可能な配置としては、１×１、１×２、２×２、３×３、４×４などがある。排紙方法属性は、排出した用紙にステイプル処理を施すか否かを指定するための項目であり、この属性の有効性は使用する印刷装置がステイプル機能を有するか否かに依存する。
【００４１】
ページ属性に固有の項目には、ページ回転属性、ズーム、配置指定、アノテーション、ページ分割などがある。ページ回転属性は、原稿ページを印刷ページに配置する際の回転角度を指定するための項目である。ズーム属性は、原稿ページの変倍率を指定するための項目である。変倍率は、仮想論理ページ領域のサイズを１００％として指定される。仮想論理ページ領域とは、原稿ページを、Ｎｕｐ等の指定に応じて配置した場合に、１原稿ページが占める領域である。例えば、１×１であれば、仮想論理ページ領域は１印刷ページに相当する領域となり、１×２であれば、１印刷ページの各辺を約７０パーセントに縮小した領域となる。
【００４２】
ブック、章、ページについて共通な属性としては、ウォーターマーク属性及びヘッダ・フッタ属性がある。ここで、ウォーターマークとは、アプリケーションで作成されたデータに重ねて印刷される、別途指定される画像や文字列などである。ヘッダ・フッタは、それぞれ各ページの上余白及び下余白に印刷されるウォーターマークである。但し、ヘッダ・フッタには、ページ番号や日時など変数により指定可能な項目が用意されている。尚、ウォーターマーク属性およびヘッダ・フッタ属性において指定可能な内容は、章とページとは共通であるが、ブックはそれらと異なっている。ブックにおいてはウォーターマークやヘッダ・フッタの内容を設定できるし、また、ブック全体を通してどのようにウォーターマークやヘッダ・フッタを印刷するかを指定することができる。一方、章やページでは、その章やページにおいて、ブックで設定されたウォーターマークやヘッダ・フッタを印刷するか否かを指定できる。
【００４３】
＜ブックファイルの生成手順＞
ブックファイルは上述したような構造及び内容を有している。次に、製本アプリケーション１０４及び電子原稿ライタ１０２によるブックファイルの作成手順について説明する。ブックファイルの作成手順は、製本アプリケーション１０４によるブックファイルの編集操作の一環として実現される。
【００４４】
図７は、製本アプリケーション１０４によりブックファイルを開く際の手順である。まず、開こうとするブックファイルが、新規作成すべきものであるか、それとも既存のものであるか判定する（ステップＳ７０１）。新規作成の場合には、章を含まないブックファイルを新規に作成する（ステップＳ７０２）。新規に作成されるブックファイルは、図３の例で示せば、ブックノード３０１のみ有し、章のノードに対するリンクが存在しないブックのノードとなる。ブック属性は、新規作成用としてあらかじめ用意された属性のセットが適用される。そして、新規ブックファイルを編集するためのユーザインターフェース（ＵＩ）画面を表示する（ステップＳ７０３）。図１１は、新規にブックファイルが作成された際のＵＩ画面の一例である。この場合は、ブックファイルは実質的な内容を持たないため、ＵＩ画面１１００には何も表示されない。
【００４５】
一方、既存のブックファイルがあれば、指定されたブックファイルを開き（ステップＳ７０３）、そのブックファイルの構造、属性、内容に従ってユーザインターフェース（ＵＩ）画面を表示する。図１０は、既存のブックファイルから指定されたブックファイルを表示するＵＩ画面の一例である。ＵＩ画面１１００は、ブックの構造を示すツリー部１１０１と、印刷された状態を表示するプレビュー部１１０２とを含む。ツリー部１１０１には、ブックに含まれる章、各章に含まれるページが図３に示す（Ａ）のような木構造で表示される。ツリー部１１０１に表示されるページは原稿ページである。またプレビュー部１１０２には、印刷ページの内容が縮小されて表示される。その表示順序はブックの構造を反映したものとなっている。
【００４６】
さて、開かれたブックファイルには、電子原稿ライタ１０２によって電子原稿ファイルに変換されたアプリケーションデータを、新たな章として追加することができる。この機能を電子原稿インポート機能と呼ぶ。図７に示す手順によって新規に作成されたブックファイルに電子原稿インポートすることで、そのブックファイルには実体が与えられる。この機能は、図１０の画面にアプリケーションデータをドラッグアンドドロップ操作することで起動される。
【００４７】
図８に電子原稿インポートの手順を示す。まず、指定されたアプリケーションデータを生成したアプリケーションプログラムを起動し、デバイスドライバとして電子原稿ライタ１０２を指定してアプリケーションデータを印刷出力させることで、電子原稿データに変換する（ステップＳ８０１）。変換を終えたなら、変換されたデータが画像データであるか否かを判定する（ステップＳ８０２）。この判定は、ウインドウズＯＳの下であれば、アプリケーションデータのファイル拡張子に基づいて行われる。例えば、拡張子が「ｂｍｐ」であればウインドウズビットマップデータであり、「ｊｐｇ」であればｊｐｅｇ圧縮された画像データ、「ｔｉｆｆ」であればｔｉｆｆ形式の画像データであると判定できる。また、このような画像データの場合はＳ８０１０のようにアプリケーションを起動せずに、画像データから直接電子原稿ファイルを生成することが可能であるため、Ｓ８０１０の処理を省略することも可能である。
【００４８】
ここで、画像データでなかった場合には、ステップＳ８０１で生成された電子原稿ファイルを、現在開かれているブックファイルのブックに、新たな章として追加する（ステップＳ８０３）。章属性としては、ブック属性と共通するものについてはブック属性の値がコピーされ、そうでないものについては、予め用意された規定値に設定される。
【００４９】
また、ステップＳ８０２で画像データである場合には、原則として新たな章は追加されず、指定されている章に、ステップＳ８０１で生成された電子原稿ファイルに含まれる各原稿ページが追加される（ステップＳ８０４）。但し、ブックファイルが新規作成されたファイルであれば、新たな章が作成されて、その章に属するページとして電子原稿ファイルの各ページが追加される。ページ属性は、上位層の属性と共通のものについてはその属性値が与えられ、アプリケーションデータにおいて定義された属性を電子原稿ファイルに引き継いでいるものについてはその値が与えられる。例えば、Ｎｕｐ指定などがアプリケーションデータにおいて指定されていた場合には、その属性値が引き継がれる。このようにして、新規なブックファイルが作成され、あるいは、新規な章が追加される。
【００５０】
図９は、図８に示すステップＳ８０１において、電子原稿ライタ１０２により電子原稿ファイルを生成させる手順のフローチャートである。まず、新たな電子原稿ファイルを作成してそれを開く（ステップＳ９０１）。指定したアプリケーションデータに対応するアプリケーションを起動し、電子原稿ライタをデバイスドライバとしてＯＳの出力モジュールに対して出力コマンドを送信させる。出力モジュールは、受信した出力コマンドを電子原稿ライタ１０２によって電子原稿形式のデータに変換し、出力する（ステップＳ９０２）。その出力先はステップＳ９０１で開いた電子原稿ファイルである。指定されたデータ全てについて変換が終了したか判定し（ステップＳ９０３）、終了していれば電子原稿ファイルを閉じる（ステップＳ９０４）。電子原稿ライタ１０２によって生成される電子原稿ファイルは、図３の（Ｂ）に示される原稿ページデータの実体を含むファイルである。
【００５１】
＜ブックファイルの編集＞
以上のようにして、アプリケーションデータからブックファイルを作成することができる。生成されたブックファイルについては、章及びページに対して次のような編集操作が可能である。
【００５２】
（１）新規追加
（２）削除
（３）コピー
（４）切り取り
（５）貼り付け
（６）移動
（７）章名称変更
（８）ページ番号名称振り直し
（９）表紙挿入
（１０）合紙挿入
（１１）インデックス紙挿入
（１２）各原稿ページに対するページレイアウト。
【００５３】
このほか、一旦行った編集操作を取り消す操作や、更に取り消した操作をやり直す操作が可能である。これら編集機能により、例えば複数のブックファイルの統合、ブックファイル内で章やページの再配置、ブックファイル内で章やページの削除、原稿ページのレイアウト変更、合紙やインデックス紙の挿入などの編集操作が可能となる。これらの操作を行うと、図４、図５に示す属性に操作結果が反映されたり、あるいはブックファイルの構造に反映される。例えば、ブランクページの新規追加操作を行えば、指定された箇所にブランクページが挿入される。このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される。
【００５４】
＜ブックファイルの出力＞
以上のように作成・編集されるブックファイルは、印刷出力を最終目的とするものである。ここで、利用者が図１０に示した製本アプリケーションのＵＩ画面１１００からファイルメニューを選択し、そこから印刷を選択すると、指定した出力デバイスにより印刷出力される。この際、まず製本アプリケーション１０４は、現在開かれているブックファイルからジョブチケットを作成し、そのジョブチケットを電子原稿デスプーラ１０５に渡す。一方、電子原稿デスプーラ１０５は、ジョブチケットをＯＳの出力コマンド、例えばウインドウズのＧＤＩ関数に変換し、それを出力モジュール、例えばＧＤＩに送信する。出力モジュールは、指定されたプリンタドライバ１０６によってデバイスに適したコマンドを生成し、そのデバイスに送信する。
【００５５】
ここで、ジョブチケットは原稿ページを最小単位とする構造を有するデータである。ジョブチケットにおける構造は、用紙上における原稿ページのレイアウトを定義している。ジョブチケットは１ジョブにつき１つ発行される。そのため、まず最上位にドキュメントというノードがあり、文書全体の属性、例えば両面印刷／片面印刷などが定義されている。その下には、用紙ノードが属し、用いるべき用紙の識別子やプリンタにおける給紙口の指定などの属性が含まれる。各用紙ノードには、その用紙で印刷されるシートのノードが属する。１シートは１枚の用紙に相当する。各シートには、印刷ページ（物理ページ）が属する。片面印刷ならば１シートには１物理ページが属し、両面印刷ならば１シートに２物理ページが属する。各物理ページには、その上に配置される原稿ページが属する。また物理ページの属性として、原稿ページのレイアウトが含まれる。
【００５６】
電子原稿デスプーラ１０５は、上述のジョブチケットを、出力モジュールへの出力コマンドに変換する。
【００５７】
＜そのほかのシステム構成＞
本実施形態の文書処理システムの概要は以上のようなものである。これはスタンドアロン型のシステムであるが、これを拡張したサーバクライアントシステムでもほぼ同様の構成・手順でブックファイルを作成・編集できる。但し、ブックファイルや印刷処理はサーバによって管理される。
【００５８】
図１２は、サーバクライアント型文書処理システムの構成を示すブロック図である。クライアント文書処理システムは、スタンドアロン型システムに、クライアントモジュールであるＤＯＭＳ（Ｄｏｃｕｍｅｎｔ  Ｏｕｔｐｕｔ  Ｍａｎａｇｅｍｅｎｔ  Ｓｅｒｖｉｃｅ：文書出力管理サービス）ドライバ１０９及びＤＯＭＳプリントサービスモジュール１１０、ＤＳ（文書サービス）クライアントモジュール１０８を加えた構成を有する。このクライアント文書処理システム１２００に文書管理サーバ１２０１、印刷集中管理サーバ１２０２及びプリントサーバ１２０３が接続されている。これらサーバは、通常ネットワークによってクライアント文書処理システムと接続されるが、サーバが同時にクライアントとしても機能する場合には、ネットワーク間の通信をシミュレートするプロセス間通信によって接続される。
【００５９】
尚、図１２に示す例では、文書管理サーバ１２０１と印刷集中管理サーバ１２０２の両方のサーバがクライアントに接続されているが、何れか一方のみネットワーク上に存在する場合もあり得る。例えば、接続されているサーバが文書管理サーバであれば、そのクライアントモジュール１０８を含む文書管理サーバクライアントシステム１２０１ＳＣが、また印刷集中管理サーバ１２０２であれば、そのクライアントモジュールを含む印刷管理サーバクライアントシステム１２０２ＳＣが、スタンドアロン型文書管理システムに追加される。
【００６０】
文書管理サーバ１２０１は、製本アプリケーション１０４により作成・編集されたブックファイルを格納するサーバである。文書管理サーバ１２０１によってブックファイルを管理する場合、ブックファイルはクライアントＰＣのローカルＨＤに代わって、あるいはそれに加えて、文書管理サーバ１２０１のデータベース１２１１に保存される。製本アプリケーション１０４と文書管理サーバ１２０１との間のブックファイルの保存及び読み出しは、ＤＳクライアント１０８及びＤＳコア１２１２を介して行われる。
【００６１】
印刷集中管理サーバ１２０２は、クライアント文書管理システム１２００に格納された、あるいは文書管理サーバ１２０１に格納されたブックファイルの印刷を管理するサーバである。クライアントにおける印刷要求は、ＤＯＭＳドライバ１０９およびＤＯＭＳプリントサービスモジュール１１０を介して印刷集中管理サーバ１２０２のＤＯＭＳＷＧサーバモジュール１２２１に送信される。集中印刷管理サーバ１２０２は、クライアントのプリンタで印刷する場合にはクライアントのＤＯＭＳプリントサービスモジュール１１０を介して電子原稿デスプーラ１０５に電子原稿データを渡し、プリントサーバ１２０３により印刷する場合には、プリントサーバ１２０３のＤＯＭＳプリントサービスモジュール１２０３に送信する。集中印刷管理サーバは、例えば保存されているブックファイルに対して印刷要求を発行した利用者の資格などについてセキュリティチェックを行ったり、印刷処理のログを保存したりする。このように、文書処理システムは、スタンドアロンとしても、クライアントサーバシステムとしても実現できる。
【００６２】
＜プレビュー表示の内容＞
既に説明した通り、ブックファイルが製本アプリケーションによって開かれると、図１０に示したユーザインターフェース画面１１００が表示される。ツリー部１１０１には、開いているブック（以下、「注目ブック」と呼ぶ）の構造を示すツリーが表示される。プレビュー部には、利用者の指定に応じて、３通りの表示方法が用意されている。まず、第１は原稿ページをそのまま表示する原稿ビューと呼ばれるモードである。この原稿ビューモードでは、注目ブックに属する原稿ページの内容が縮小されて表示される。尚、プレビュー部１１０２の表示にレイアウトは反映されない。次に、第２は印刷ビューモードである。この印刷ビューモードでは、プレビュー部１１０２には原稿ページのレイアウトが反映された形で原稿ページが表示される。そして、第３は簡易印刷ビューモードである。この簡易印刷ビューモードでは、各原稿ページの内容はプレビュー部の表示には反映されず、レイアウトのみが反映される。
【００６３】
＜ステイプル制御＞
次に、ステイプル機能を有するプリンタと接続するコンピュータ１００の製本アプリケーション１０４によって行われるステイプル制御について説明する。
【００６４】
図１３は、ステイプル制御システムの構成を示すブロック図である。図示するように、ステイプル制御システムは、図２に示したホストコンピュータ１００とステイプル機能を有するプリンタ１０７とで構成される。
【００６５】
以下、プリンタ１０７の構成について説明する。尚、本発明の機能が実現されるのであれば、単体の機器であっても、複数の機器からなるシステムであっても、ＬＡＮ，ＷＡＮ等のネットワークを介して接続がなされ、処理が行われるシステムであっても本発明を適用できる。
【００６６】
図示するように、プリンタ１０７において、１３０１はプリンタＣＰＵであり、ＲＯＭ１３０２内のプログラム用ＲＯＭに記憶された制御プログラム等や外部メモリ１３０３に記憶された制御プログラム等に基づいてシステムバス１３０４に接続される印刷部Ｉ／Ｆ１３０５を介して、印刷部（プリンタエンジン）１３０６に出力情報としての画像信号を出力する。また、このＲＯＭ１３０２内のプログラムＲＯＭには、ＣＰＵ１３０１の制御プログラム等が記憶され、ＲＯＭ１３０２内のフォント用ＲＯＭには、出力情報を生成する際に使用するフォントデータ等が記憶され、ＲＯＭ１３０２内のデータ用ＲＯＭには、ハードディスク等の外部メモリ１３０３がないプリンタの場合、ホストコンピュータ１００上で利用される情報等が記憶されている。
【００６７】
また、ＣＰＵ１３０１は、入力部１３０７を介してホストコンピュータ１００との通信処理が可能となっており、プリンタ１０７内の情報等をホストコンピュータ１００に通知できる。ＲＡＭ１３０８は、ＣＰＵ１３０１の主メモリや、ワークエリア等として機能するＲＡＭであり、図示しない増設ポートに接続されるオプションＲＡＭによりメモリ容量を拡張することができるように構成されている。
【００６８】
尚、ＲＡＭ１３０８は、出力情報展開領域、環境データ格納領域、ＮＶＲＡＭ等に用いられる。上述したハードディスク（ＨＤ）、ＩＣカード等の外部メモリ１３０３は、メモリコントローラ（ＭＣ）１３０９によりアクセスを制御される。外部メモリ１３０３は、オプションとして接続され、フォントデータ、エミュレーションプログラム、フォームデータ等を記憶する。また、操作パネル１３１１は操作のためのスイッチ及びＬＥＤ表示器等で構成されている。
【００６９】
また、上述の外部メモリ１３０３は１個に限らず、複数個備えられ、内蔵フォントに加えてオプションカード、言語系の異なるプリンタ制御言語を解釈するプログラムを格納した外部メモリを複数接続できるように構成されていても良い。更に、図示しないＮＶＲＡＭを有し、操作パネル１３１１からのプリンタモード設定情報を記憶するようにしても良い。
【００７０】
＜本実施形態の例＞
以下、本発明を適用するのに好適な実施形態について説明を行う。
【００７１】
本実施の形態の係わる製本アプリケーション１０４では、上述までのように、ブックファイル内のブック、章、ページに対してそれぞれの属性を設定することができる。設定された属性を基に印刷ドライバへのスプールを行うのであるが、本発明は電子データファイルへのエクスポート出力において文書ファイルに設定された印刷設定属性を反映ことができる。尚、エクスポートする電子データのフォーマットは別システムで利用できる共通フォーマットである。ここでは、ＰＤＦフォーマットでのエクスポートを例として説明する。
【００７２】
エクスポート機能はアプリケーションファイルから原稿データのＰＤＦデータまたは指定された属性で印刷された状態と同じ面付け状態のＰＤＦデータを出力する機能である。データはユーザが指定したフォルダに出力される。但し、この機能はアプリケーションでアプリケーションファイルを開いている場合にのみ行える機能である。また、本機能でＰＤＦファイルをエクスポートするにはファイル出力用のドライバがインストールされている。編集直後は保存が必要で、エクスポート前に実行される保存は展開ファイルへの保存とする。
【００７３】
原稿データでのＰＤＦファイルへのエクスポート機能は、アプリケーションで付加したアノテーションデータは対象外とし、アプリケーションファイルで保持している原稿データをそのままＰＤＦファイルとして出力する。このため、ベージ分割したページは元ページサイズで出力される。
【００７４】
面つけを反映させたＰＤＦファイルへのエクスポート機能は、印刷結果と同じ面つけ形式のＰＦＤファイルを出力する。印刷プレビューで表示されている用紙上に複数ページレイアウトするＮ−ＵＰやアノテーション、スタンプ、ヘッダ、フッタの状態が再現される形で出力される。
【００７５】
しかし面つけＰＤＦのエクスポートの内部処理ではエクスポート用のドライバへ印刷を行うため、ドライバの能力に応じて設定の丸めが発生する。このため、以下の設定はクリアされた状態となる。
【００７６】
１．パンチ穴
２．Ｚ折り
３．ステイプル（含、章単位ステイプル）
４．サドルステッチ
５．トリマー
６．両面／製本印刷
よって、上記コンフリクト処理に伴い、ＰＤＦのエクスポートファイルでは両面時やステイプル設定によるシフト幅などのレイアウトが反映されない。しかし、本発明の実施形態では上記したドライバの能力によって丸められてしまった両面や上記製本設定による表示をＰＤＦファイルに反映させる機能として、印刷モードエクスポート機能も有する。
【００７７】
図１４及び図１５はアプリケーションの表示画面の例である。図１４では、原稿ページのプレビューモードで印刷設定が施されていない状態が表示されている。図１５では、アプリケーションでの印刷設定が行われた場合、印刷プレビューモードで印刷出力イメージが表示される一例である。印刷モードでのエクスポート出力は印刷プレビューモードでの表示イメージにて確認できる。
【００７８】
図１６は印刷モードでのエクスポート出力処理を行うフロー図である。１６０１のステップではアプリケーションで印刷出力の印刷製本設定を施す。続いてステップ１６０２でエクスポート出力を選択する。ここで特徴とするのは、複数のエクスポート方法の選択が行えることである。図１７はエクスポート出力時のダイアログ例を示す。保存場所を指定しエクスポート方法を選択し、保存ボタンを押す。ここではエクスポート方法の選択はラジオボタン形式となっているが、プルダウンメニュー等、他形態でも構わない。続いて図１６のステップ１６０３では保存形態が製本体裁を反映して出力かどうかのチェックを行う。エクスポート形態が原稿をそのまま保存の場合は、アプリケーションで設定した印刷設定を解除しステップ１６０５に進んでファイル変換処理を行う。製本体裁を反映して出力する場合（ここでは、図１７のレイアウト体裁設定を反映して保存、及び印刷出力体裁を反映して保存）は、１６０４のステップでエクスポート用ドライバへのスプールを行う。１６０４での処理については図１８に詳細フローを示す。エクスポートドライバにスプールされたファイルはまず、１７０１でレイアウト体裁設定を反映して保存、または印刷出力体裁を反映して保存のチェックを行う。レイアウト体裁設定を反映して保存とは、先に述べた面付けＰＤＦでのエクスポート処理を指し、レイアウト指定やシフト指定の情報は反映されるが、両面／製本やステイプルにおけるシフトなどはコンフリクトされて反映されない。印刷出力体裁を反映して保存を選択した場合においては、１７０３でコンフリクトの解除を行う。続いて図１６のステップ１６０５に進み、ＰＤＦファイルへの変換を行う。続いて、ステップ１６０６では、アプリケーションで設定した印刷設定情報ファイルの出力の選択を行う。ダイアログが表示され、出力選択を行うことで、印刷設定情報（パラメータ）ファイルを出力することができる。このファイルを出力することにより、エクスポートしたＰＤＦファイルを別システムで印刷する場合に、印刷時にファイルをドライバに読み込ませることにより、両面／製本設定及び、ステイプル、パンチ等の印刷設定をドライバに再設定させることが出来る。これにより、印刷設定情報ファイルをドライバに取り込むことで、アプリケーションから印刷を行った場合の最終成果物と同じものが、印刷出力可能となる。続いてステップ１６０８に進み、ＰＤＦファイルの出力、保存が行われる。
【００７９】
以上の手順に従えば、アプリケーションファイルから指定された属性で印刷された状態と同じ面付け状態のＰＤＦデータの出力を行うことが可能となった。
【００８０】
次にエクスポートファイルと共に出力できる印刷設定情報ファイルを利用しての印刷処理について説明する。図１９はエクスポートしたＰＤＦファイルを紙印刷する場合に、ドライバに印刷設定情報ファイルをインポートして印刷設定を反映させて印刷処理をするフローである。ステップ１９０１ではエクスポートしたＰＤＦファイルを別システムにて開く。続いて１９０２では、プリンタの選択をする。選択したドライバにはエクスポート時に出力した印刷設定情報ファイルをインポートでき、ドライバより該当するファイルを取り込む。設定情報をインポートしない場合は通常どおりドライバに手動で設定した印刷設定により出力される。続いてステップ１９０４ではドライバにインポートされた印刷設定情報ファイルのドライバ情報が正しいかをチェックする。出力するドライバとファイル内のドライバ情報が異なる場合は印刷設定情報が反映されない。もしくは可能な機能のみにコンフリクトされて丸められることになる。続いてステップ１９０５では出力先のデバイス情報を取得する。続いてステップ１９０６ではドライバの印刷設定が反映される。この場合、ステップ１９０５でチェックしたデバイス情報能力が印刷設定情報ファイルの設定内容より劣る場合は、ドライバへの印刷設定反映でコンフリクトされる。反映された印刷設定で印刷実行することで、ＰＤＦにエクスポートしたファイルを印刷した成果物と、本発明の実施形態におけるアプリケーションから印刷を行った場合の最終成果物と同じものが、印刷出力可能となる。
【００８１】
また、本発明は、複数の機器（例えばホストコンピュータ、インタフェース機器、リーダ、プリンタなど）から構成されるシステムに適用しても、一つの機器からなる装置（複写機、プリンタ、ファクシミリ装置など）に適用してもよい。
【００８２】
また、本発明の目的は、前述した実施形態の機能を実現するソフトウェアのプログラムコードを記憶した記憶媒体を、システムあるいは装置のコンピュータ（またはＣＰＵやＭＰＵ）が記憶媒体に格納されたプログラムコードを読出し実行することによっても、達成される。この場合、記憶媒体から読み出されたプログラムコード自体が前述した実施形態の機能を実現することになり、そのプログラムコードを記憶した記憶媒体は本発明を構成することになる。
【００８３】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００８４】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【００８５】
さらに、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【００８６】
【図１】本発明の実施の形態に係るスタンドアロン型の文書処理システムの構成を説明するためのブロック図である。
【図２】本実施の形態に係る文書処理システムを実現するホストコンピュータの構成を示すブロック図である。
【図３】本実施の形態に係るブックファイルの構造の一例を示す図で、図３（Ａ）はブックファイルの形式の一例を模式的に示す図、図３（Ｂ）は原稿データの構成を示す図である。
【図４】本実施の形態に係るブック属性の一例を示す図である。
【図５】本実施の形態に係る章属性の一例を示す図である。
【図６】本実施の形態に係るページ属性の一例を示す図である。
【図７】本実施の形態に係る文書処理システムにおけるブックファイルを開く手順を説明するフローチャートである。
【図８】本実施の形態に係る文書処理システムにおける、電子原稿ファイルをブックファイルにインポートする手順を説明するフローチャートである。
【図９】本実施の形態に係る文書処理システムによるアプリケーションデータを電子原稿ファイルに変換する手順を示すフローチャートである。
【図１０】既存のブックファイルを開いた際のユーザインターフェース画面の一例を示す図である。
【図１１】新規のブックファイルを開いた際のユーザインターフェース画面の一例を示す図である。
【図１２】本実施の形態に係る文書処理システムに係るクライアントサーバ型の文書処理システムのブロック図である。
【図１３】ステイプル制御システムの構成を示すブロック図である。
【図１４】原稿ページのプレビューモードでブックファイルを開いた際のユーザインターフェース画面の一例を示す図である。
【図１５】印刷プレビューモードでブックファイルを開いた際のユーザインターフェース画面の一例を示す図である。
【図１６】本発明の実施の形態に係る文書処理システムにおける、エクスポート出力処理を行うフロー図である。
【図１７】本発明の実施の形態に係る文書処理システムにおける、エクスポート出力時のダイアログ例を示す図である。
【図１８】本発明の実施の形態における、エクスポートドライバの処理を示すフロー図である。
【図１９】本発明の実施の形態における、エクスポートファイルを別システムで印刷出力する場合にアプリケーションで設定した印刷設定情報のパラメータファイルをインポートして印刷する処理を示すフロー図である。
【図１】
2006202025.tif 000003
【図２】
2006202025.tif 000004
【図３】
2006202025.tif 000005
【図４】
2006202025.tif 000006
【図５】
2006202025.tif 000007
【図６】
2006202025.tif 000008
【図７】
2006202025.tif 000009
【図８】
2006202025.tif 000010
【図９】
2006202025.tif 000011
【図１０】
2006202025.tif 000012
【図１１】
2006202025.tif 000013
【図１２】
2006202025.tif 000014
【図１３】
2006202025.tif 000015
【図１４】
2006202025.tif 000016
【図１５】
2006202025.tif 000017
【図１６】
2006202025.tif 000018
【図１７】
2006202025.tif 000019
【図１８】
2006202025.tif 000020
【図１９】
2006202025.tif 000021